(57)【要約】【課題】  単語を組み替えて文章を作る学習をすることがしやすい単語ファイルを提供する。【解決手段】  表紙本体と、任意の綴じ込み用紙を縦あるいは横方向に並列させるように綴じこむ綴じ具よりなるファイルと、前記綴じ具に対応した複数の綴じ穴を有する複数の用紙本体と、用紙本体に構成された仕切り線と、単語記入部と、挿入する段の判別のために設けられた綴じ込み段識別用記入欄と、品詞記入欄とよりなる綴じ込み用紙とよりなる単語ファイル。【選択図】    図１
2007118549.tif 000002
【特許請求の範囲】
【請求項１】
表紙本体と、任意の綴じ込み用紙を縦あるいは横方向に並列させるように綴じこむ綴じ具とよりなるファイルと、前記綴じ具に対応した複数の綴じ穴を有する複数の用紙本体と、用紙本体に構成された仕切り線と単語記入欄下線と、単語記入欄と、挿入する段の判別のために設けられた綴じ込み段識別用記入欄と、品詞記入欄とよりなる綴じ込み用紙とよりなる単語ファイル。
【請求項２】
綴じ具が用紙単位で着脱することができるように分割したものであることを特徴とする請求項１記載の単語ファイル。
【請求項３】
ファイルに仕切り紙を綴じこんだ請求項１又は２記載の単語ファイル。
【請求項４】
綴じ込み用紙に、単語、訳、品詞、綴じ込み段識別用記入欄に該当内容が表記されたものである請求項１、２又は３記載の単語ファイル。
【請求項５】
綴じ具に綴じ込み用紙のぶれを減少させる綴じ込み用紙ストッパーを設けた請求項１、２、３又は４記載の単語ファイル。
【発明の詳細な説明】
【技術分野】
【０００１】  本発明は、単語を組み替えることで常識的な例文を超えた組み合わせやイメージを生み出し、単語を組み合わせて文章を作る練習ができ、記憶に残ることを促進させる効果を持つ、リフィール形式の綴じ込み用紙を着脱できる、単語ファイルに関するものである。
【背景技術】
【０００２】  従来、記入欄と穴よりなるカードと綴じるためのリングとからなる単語カードセットがあった。表紙と閉じ具と、品詞の記入欄と単語の記入欄と仕切り線の印刷部と単語記入欄下線の印刷部とよりなる用紙よりなる単語帳があった。
【発明の開示】
【発明が解決しようとする課題】
【０００３】  そのために、次のような欠点があった。
（イ）記入された単語を用いて文章を作る作業において、従来の単語帳では一部の単語を入れ替えることがしづらい。
（ロ）記入された単語を用いて文章を作る作業において従来の単語カードでは複数を同時に使う必要があり、不便である。
（ハ）そのためどちらも複数の単語を使って文章を作り、組み替えて文章を作成するという勉強ができなかった。
（ニ）複数の単語カードを縦に並べて一つのバインダー内に形成しようとすると、各カードにおける綴じ具とは逆の端辺（バインダーの開口側）が下方向へずれ込んでしまうことがある。
【課題を解決するための手段】
【０００４】表紙本体と、任意の綴じ込み用紙を縦あるいは横方向に並列させるように綴じこむ綴じ具よりなるファイルと、前記綴じ具に対応した複数の綴じ穴を有する複数の用紙本体と、用紙本体に構成された仕切り線と、単語記入欄下線と、単語記入部と、挿入する段の判別のために設けられた綴じ込み段識別用記入欄と、品詞記入欄とよりなる綴じ込み用紙とより構成される。
【発明の効果】
【０００５】単語を記憶するために用意された単語を用いて文章を作るとき、複数段の綴じ込み用紙により、単語の組み合わせ、組み替えがしやすく、文章が作りやすい。別個に用意された単語を組み合わせることにより、意外なイメージが生まれやすい。意外なイメージは記憶に残りやすく、記憶するときの補助になる。
ファイルからはずした用紙をファイルに綴じるときに綴じ込み段識別用記入欄により間違わず綴じこめる。
仕切り線と単語記入欄下線を印刷してあることにより、複数の単語の記入、又は複数段にわたる記述に対応する。
綴じ具が用紙単位で着脱することができるように分割してあることにより、カードの着脱時に隣の段にある綴じ込み用紙がはずれてしまう煩わしさがない。タブ形状の仕切り紙により、単語の記述のあるページを変えるとき、めくるべき綴じ込み用紙の範囲がわかり、未記入の綴じ込み用紙を取り出す時、ひと手間はぶける。
綴じ込み用紙に、単語、訳、品詞、綴じ込み段識別用記入部に該当内容が表記されているため、記入の手間が省け、記入時の参考になる。
綴じ込み用紙ストッパーにより移動時の使用において上下段、上中下段などと構成された綴じ込み用紙を縦に平行に保てる。
【発明を実施するための最良の形態】
【０００６】以下、本発明の第一実施の形態について説明する。
図１のように、ファイル背表紙（１）に、綴じ込み用紙（２）を、重ならず綴じ込めるような綴じ具（３ａ）を上下に３セット分設ける。ファイル開閉表紙（４）の仕様はポリプロピレンや厚紙等、従来表紙として利用されるものである。縦２２ｃｍ、横１０ｃｍのファイル開閉表紙（４）の表紙と裏表紙と、その間の縦２２ｃｍ、横２ｃｍの背表紙（１）とよりなる事例において説明する。綴じ具（３ａ）の仕様は、スチール製で長さ４ｃｍ、横幅２ｃｍ以内の取り付け部（６）と２．５ｃｍ間隔で直径１．８ｃｍの２本の用紙綴じ込み用リング（７）と綴じ具上下の用紙着脱用片（８）と幅２ｍｍ、長さ３ｃｍ、断面がドーム状の綴じ込み用紙ストッパー（９）とよりなる。
図４のように、綴じ込み用紙（２）には２つの綴じ穴（１０）が設けられている。縦４ｃｍ，横７．５ｃｍの綴じ込み用紙（２）の表に単語記入欄下線の印刷部（１１）、裏に仕切り線の印刷部（１６）を設ける。単語記入欄下線は綴じ込み用紙の上から１．３ｃｍと３．２ｃｍに横に５．４ｃｍ印刷する。仕切り線（１６）は上下中央より横に５．５ｃｍ印刷する。単語記入欄下線印刷部（１１）と仕切り線印刷部（１６）により、単語記入部（１２）が単語記入欄（１３）となる。図４のように、綴じ込み用紙（２）の表面上段単語記入欄（１３）右上に綴じこみ段識別用記入欄（１４）を設ける。綴じ込み段識別用記入欄（１４）は綴じこむための段を見分けるために設ける。綴じ込み段識別用記入欄（１４）は直線で５ｍｍ印刷する。
図６のように、綴じ込み用紙（２）の裏面の単語記入欄（１３）の左下に各一つ品詞記入欄（１５）を設ける。品詞記入欄（１５）は直線で７ｍｍ印刷する。仕切り紙（５）は綴じ込み用紙（２）をファイルに綴じこんだ時に上中下段が隠れるような縦４ｃｍ横７．５ｃｍのページ部（１７）と綴じ穴（１０）とは逆の辺にある上辺３．６ｃｍ下辺４ｃｍ高さ０．７ｃｍの台形を横にして下辺をページ部に付けた形のタブ部（１８）と綴じ具（３ａ）に対応した綴じ穴（１０）とよりなる。ページ部（１７）とタブ部（１８）は一体となっている。仕切り紙はポリプロピレンや厚紙等を用いる。
本発明は以上のような構成よりなっている。
本発明を利用するときは以下のように使用する。
はじめに、単語の品詞ごとにどの段に振り分けるか決定する。使いやすい一例として、綴じ込み用紙（２）の一段目に名詞・助動詞・副詞、二段目に動詞・形容詞、三段目に構文・その他を記入することとする。基本的には一枚に二つの単語を記入できるが、構文など長い記述のものは二段にわたって書いてもよい。
図８（２ａ１）のように表に単語と段を記入する。段は一段目、二段目、三段目に対応させて、１、２、３と記入する。図９（２ｄ１）のように裏に品詞と訳を記入する。記入済みページの次に仕切り紙（５）を入れて、綴じ込み用紙（２）を対応した段に綴じる。効果を有効に出すために、初期段階で各段四枚以上用意する。以上で準備が完了する。
単語記入済みのページを開くと、３〜６個の単語が見えている状態になる。この見えている単語の組み合わせを用いて文章を作ることを問題として、この単語ファイルを用いる。
単語の組み合わせは各段一つ以上用いることを基本とする。すべての単語を用いてもよいし、難しいときは実力に合わせて減らしてもよい。また、文章を作るために綴じ込み用紙に無い単語を用いることになる。単語を組み合わせる時に通常組み合わせにくいものであることがある。このときでもできるだけ組み合わせて文章を作る作業をしてみる。イメージになると、また、極端なイメージのものほど記憶に残ることがわかっている。
一問終わったあとで次の問題に移る時のやりかたは大きく分けて二つある。
ｉ）全単語使ってしまった等、全く新しい問題にしたいとき。
各段全てめくる。図８（２ａ２；２ｂ２；２ｃ２）のように全て新しい単語が現れる。
ｉｉ）一つの単語を重点的に使いたい、一つの段が難しいので変えたいなど、一部を残したい時。
使いたい段だけを残し、残りをめくる。図８（２ａ１；２ｂ２；２ｃ２）のように使いたい部分を有効に活かしながら新しい問題を作れる。
いろいろな組み合わせができるよう覚えたい単語のカードである綴じ込み用紙（２）を増やしていく。その時、仕切り紙（５）をめくると新しい綴じ込み用紙（２）を使える状態になる。綴じ込み用紙（２）なければ追加する。この時、綴じ込み段ごとに着脱できるので他の段が外れる事がない。【０００７】以下、本発明の使用例１について説明する。
１、綴じ込み用紙に単語などを記入する。表面について、単語記入欄（１３）に各一つ、もしくは構文など長い記述は二段に一つ記入する。綴じ込み段識別記入欄（１４）には、上中下段に対応して、１、２、３を記入する。裏面について、訳と品詞を記入する。
一段目の一枚目に“ｐｏｌｉｃｅ  ｍａｎ”と“ｃａｎ”（図２ａ１）、二枚目に“ｄｅｔｅｃｔｉｖｅ”と“ｍａｙ”を記入する（図２ａ２）。
二段目の一枚目に“ｃａｔｃｈ”と“ｏｌｄ”（図２ｂ１）、二枚目に“ｓｈｏｏｔ”と“ｂｅａｕｔｉｆｕｌ”（図２ｂ２）を記入する。
三段目の一段目に“ｔｏｏ〜ｔｏ〜”と“ｏｎ”（図２ｃ１）、二枚目に“ｂｅ  ｇｏｉｎｇ  ｔｏ〜”と“ａｎｄ”（図２ｃ２）を記入する。
それぞれに訳、綴じ込み段、品詞を記入する。
２、対応した段に綴じこむ。記入した綴じ込み用紙（２）の後、未記入の綴じ込み用紙（２）の前に仕切り紙（５）を綴じこむ。
３、開いているページの単語を組み合わせて用い、文章を作る。
カードの組み合わせは図８の（２ａ１；２ｂ１；２ｃ１）のようになる。図８の中の（２ａ１；２ｂ１；２ｃ１）によって文章をつくる。単語を１個使うときは“Ｔｈｅ  ｐｏｌｉｃｅ  ｍａｎ  ｉｓ  ｔａｌｌ．”、“Ｔｈｅ  ｂｉｒｄ  ｃａｔｃｈｅｓ  ａ  ｆｉｓｈ．”など。二個使うときは“Ｔｈｅ  ｐｏｌｉｃｅ  ｍａｎ  ｉｓ  ｏｎ  ｔｈｅ  ｐｏｌｅ．”、Ｉ  ｃａｎｔ’ｅａｔ  ｔｈｅ  ｏｌｄ  ｃａｋｅ．”など。三個使うときは“Ｉ  ｃａｎ  ｃａｔｃｈ  ｏｎ  ｔｈｅ  ｌｉｎｅ．”など。四個使うときは“Ｔｈｅ  ｐｏｌｉｃｅ  ｍａｎ  ｉｓ  ｔｏｏ  ｏｌｄ  ｔｏ  ｃａｔｃｈ  ｔｈｅ  ｍｏｎｋｅｙ．”などである。
用いる単語を変えて文章を作る。仕切り紙（５）より前の組み替えられるページを組み合わせる。仕切り紙（５）によりめくる範囲が限定されているので迷わない。一段目をめくると“ｄｅｔｅｃｔｉｖｅ”と“ｍａｙ”（図２ａ２）、二段目をめくると“ｓｈｏｏｔ”と“ｂｅａｕｔｉｆｕｌ”（図２ｂ２）、三段目をめくると“ｂｅ  ｇｏｉｎｇ  ｔｏ〜”と“ａｎｄ”（図２ｃ２）が現れる。
４、ページを増やすと組み合わせの数は増えるので、綴じ込み用紙（２）を記入の後追加する。その時、仕切り紙（５）をめくると新しい綴じ込み用紙（２）を一手間で出すことができる。【０００８】以下、本発明の実施例２について説明する。
図１０、図１１は本発明の第二実施例にかかるものであって、綴じ具（３ｂ）の仕様は、スチール製で長さ１３ｃｍ、横幅２ｃｍ以内の取り付け部（６）と２ｃｍ間隔で直径約２ｃｍの６本の用紙綴じ込み用リング（７）と綴じ具上下の用紙着脱用片（８）とよりなる。
図８（２ａ１）のように綴じ込み用紙（２）は単語、綴じ込み段識別表記、品詞と訳が印刷されている。
具体的には図８のように、綴じ込み用紙（２）の裏面の単語記入欄（１３）の左に品詞を印刷する。
図８のように、綴じ込み用紙（２）の表面上段単語記入部（１２）右上に綴じ込み段識別用記入欄が印刷されている。綴じ込み段識別用記入欄は綴じこむための段を見分けるために設ける。
その他の仕様は第一実施例と同様である。
本発明は以上のような構成よりなっている。
本発明を利用するときは以下のように使用する。
図８のように、単語の組み合わせを用いて文章を作ることを問題として、この単語ファイルを用いる。
単語、訳、品詞、綴じ込み段識別用記入欄があらかじめ記入されているので記入する手間がない。
未記入の綴じ込み用紙（２）がない場合は仕切り紙（５）がない。
用紙の着脱の時は綴じ込み用紙（２）を上中下段同時に取り外せるので段ごとに着脱する。
その他の使用法は第一使用例と同様である。
なお上記事例は自身で記入するものとして説明したが、あらかじめ表記されたものであってもよい。
【図面の簡単な説明】
【０００９】
【図１】  本発明の実施例１の斜視図
【図２】  本発明の実施例１のカードを抜いた状態のバインダーの斜視図
【図３】  本発明の実施例１の綴じ具の斜視図
【図４】  本発明の構成中、単語カードを示す平面図（表）
【図５】  本発明の綴じ具断面図
【図６】  本発明の構成中、単語カードを示す平面図（裏）
【図７】  本発明のタブ形状の仕切り紙
【図８】  本発明の単語カードに対する各種記載例を示す図（表）
【図９】  本発明の単語カードに対する各種記載例を示す図（裏）
【図１０】  本発明の実施例２の斜視図
【図１１】  本発明の実施例２のバインダーの斜視図
【符号の説明】
【００１０】  １        ファイル背表紙、
２        綴じ込み用紙、
３ａ；３ｂ  綴じ具、
４        ファイル開閉表紙、
５        仕切り紙、
６        取り付け部、
７        用紙綴じ込み用リング、
８        用紙着脱用片、
９        綴じ込み用紙ストッパー、
１０      綴じ穴、
１１      単語記入欄下線、
１２      単語記入部、
１３      単語記入欄、
１４      綴じ込み段識別用記入欄、
１５      品詞記入欄、
１６      仕切り線、
１７      仕切り紙ページ部、
１８      仕切り紙タブ部
【図１】
2007118549.tif 000003
【図２】
2007118549.tif 000004
【図３】
2007118549.tif 000005
【図４】
2007118549.tif 000006
【図５】
2007118549.tif 000007
【図６】
2007118549.tif 000008
【図７】
2007118549.tif 000009
【図８】
2007118549.tif 000010
【図９】
2007118549.tif 000011
【図１０】
2007118549.tif 000012
【図１１】
2007118549.tif 000013